(57)【要約】      （修正有）【課題】糖尿病に有効な献立を提供すること。【解決手段】単数もしくは複数の料理品目の組合せからなる献立を判定する装置であって、料理品目とその料理に使用されうる食材とを関連づけて記憶させた料理・食材情報格納部２３１と、食材と、その食材に含まれるｎ−３脂肪酸量およびｎ−６脂肪酸量と、を関連づけて記憶させた食材・脂肪酸情報格納部２３２と、料理品目とその料理品目の摂取量を入力する手段（３０１および３０２）と、料理品目とその料理品目の摂取量と、に基づいて、料理・食材情報格納部２３１および食材・脂肪酸情報格納部２３２に記憶された情報から献立全体のｎ−３脂肪酸量に対するｎ−６脂肪酸量の比率を算出する脂肪酸比算出部３０３と、算出された脂肪酸比から、あらかじめ設定された所定のしきい値を超えているか否かを判定する判定部３０４と、を備えた脂肪酸管理装置１００。【選択図】図１４
2006252209.tif 000002
【特許請求の範囲】
【請求項１】
単数もしくは複数の料理品目の組合せからなる献立を判定する装置であって、
料理品目とその料理に使用されうる食材とを関連づけて記憶させた料理・食材記憶部と、
食材と、その食材に含まれるｎ−３脂肪酸量およびｎ−６脂肪酸量と、を関連づけて記憶させた食材・脂肪酸記憶部と、
料理品目を少なくとも一つ入力する料理品目入力手段と、
料理品目入力手段により入力された料理品目の摂取量を入力する摂取量入力手段と、
料理品目入力手段により入力された料理品目と、摂取量入力手段により入力された当該料理品目の摂取量と、に基づいて、料理・食材記憶部および食材・脂肪酸記憶部に記憶された情報から献立全体のｎ−３脂肪酸量に対するｎ−６脂肪酸量の比率を算出する脂肪酸比算出手段と、
脂肪酸比算出手段により算出された脂肪酸比から、あらかじめ設定された所定のしきい値を超えているか否かを判定する判定手段と、
を備えたことを特徴とする糖尿病用献立判定装置。
【請求項２】
判定手段により脂肪酸比が所定のしきい値を超えていると判定された場合に、当該献立を構成する料理品目の中の食材であって代替可能な食材の中から、ｎ−６脂肪酸量の少ないまたはｎ−３脂肪酸量の多い食材を料理・食材記憶部から抽出する代替食材抽出手段と、
代替食材抽出手段により抽出された食材から、代替する食材を指定する代替食材指定手段と、
代替食材指定手段により指定された食材に基づいて、脂肪酸比算出手段を制御して、献立全体の脂肪酸量の比率を再計算させる再計算制御手段と、
を備えたことを特徴とする請求項１に記載の糖尿病用献立判定装置。
【請求項３】
判定手段により脂肪酸比が所定のしきい値を超えていると判定された場合に、当該献立を構成する料理品目の中の食材であってその含有量を変更可能な食材の中から、ｎ−６脂肪酸量の少ないまたはｎ−３脂肪酸量の多い食材を抽出する可変食材抽出手段と、
可変食材抽出手段により抽出された食材から、含有量を変更する食材とその量を指定する可変食材指定手段と、
可変食材指定手段により指定された食材およびその量に基づいて、脂肪酸比算出手段を制御して、献立全体の脂肪酸量の比率を再計算させる再計算制御手段と、
を備えたことを特徴とする請求項１に記載の糖尿病用献立判定装置。
【請求項４】
判定手段により脂肪酸比が所定のしきい値を超えていると判定された場合に、ｎ−６脂肪酸量の少ないまたはｎ−３脂肪酸量の多い料理品目を料理・食材記憶部から抽出する追加料理抽出手段と、
追加料理抽出手段により抽出された料理品目から、追加する料理品目を指定する追加料理指定手段と、
追加料理指定手段により指定された料理品目に基づいて、脂肪酸比算出手段を制御して、献立全体の脂肪酸量の比率を再計算させる再計算制御手段と、
を備えたことを特徴とする請求項１に記載の糖尿病用献立判定装置。
【請求項５】
判定手段により脂肪酸比が所定のしきい値を超えていると判定された場合に、警告を発する警告手段を備えたことを特徴とする請求項１〜４のいずれか一つに記載の糖尿病用献立判定装置。
【請求項６】
判定手段により脂肪酸比が所定のしきい値内であると判定された場合に、その献立を対象者に応じて記憶する履歴情報記憶部と、
履歴情報記憶部に記憶された献立の各料理品目の構成食材を、次回当該料理品目が入力されたときに標準構成として出力する標準構成出力手段と、
を備えたことを特徴とする請求項１〜５のいずれか一つに記載の糖尿病様献立判定装置。
【請求項７】
所定のしきい値を、（ｎ−６脂肪酸ｍｏｌ／ｎ−３脂肪酸ｍｏｌ）＝４またはそれ以下としたことを特徴とする請求項１〜６のいずれか一つに記載の糖尿病用献立判定装置。
【請求項８】
所定のしきい値を、糖尿病の発病時期を遅延可能な程度にまで低くしたことを特徴とする請求項１〜６のいずれか一つに記載の糖尿病用献立判定装置。
【請求項９】
所定のしきい値を、糖尿病の発病率を低下可能な程度にまで低くしたことを特徴とする請求項１〜６のいずれか一つに記載の糖尿病用献立判定装置。
【請求項１０】
単数もしくは複数の料理品目の組合せからなる献立を判定するプログラムであって、
料理品目とその料理に使用されうる食材とを関連づけて記憶させた料理・食材記憶部と、食材と、その食材に含まれるｎ−３脂肪酸量およびｎ−６脂肪酸量と、を関連づけて記憶させた食材・脂肪酸記憶部と、を備えるコンピュータを、
料理品目を少なくとも一つ入力する料理品目入力手段、
料理品目入力手段により入力された料理品目の摂取量を入力する摂取量入力手段、
料理品目入力手段により入力された料理品目と、摂取量入力手段により入力された当該料理品目の摂取量と、に基づいて、料理・食材記憶部および食材・脂肪酸記憶部に記憶された情報から献立全体のｎ−３脂肪酸量に対するｎ−６脂肪酸量の比率を算出する脂肪酸比算出手段、
脂肪酸比算出手段により算出された脂肪酸比から、あらかじめ設定された所定のしきい値を超えているか否かを判定する判定手段、
として機能させることを特徴とする糖尿病用献立判定プログラム。
【請求項１１】
更に、コンピュータを、
判定手段により脂肪酸比が所定のしきい値を超えていると判定された場合に、当該献立を構成する料理品目の中の食材であって代替可能な食材の中から、ｎ−６脂肪酸量の少ないまたはｎ−３脂肪酸量の多い食材を料理・食材記憶部から抽出する代替食材抽出手段、
代替食材抽出手段により抽出された食材から、代替する食材を指定する代替食材指定手段、
代替食材指定手段により指定された食材に基づいて、脂肪酸比算出手段を制御して、献立全体の脂肪酸量の比率を再計算させる再計算制御手段、
として機能させることを特徴とする請求項１０に記載の糖尿病用献立判定プログラム。
【請求項１２】
更に、コンピュータを、
判定手段により脂肪酸比が所定のしきい値を超えていると判定された場合に、当該献立を構成する料理品目の中の食材であってその含有量を変更可能な食材の中から、ｎ−６脂肪酸量の少ないまたはｎ−３脂肪酸量の多い食材を抽出する可変食材抽出手段、
可変食材抽出手段により抽出された食材から、含有量を変更する食材とその量を指定する可変食材指定手段、
可変食材指定手段により指定された食材およびその量に基づいて、脂肪酸比算出手段を制御して、献立全体の脂肪酸量の比率を再計算させる再計算制御手段、
として機能させることを特徴とする請求項１０に記載の糖尿病用献立判定プログラム。
【請求項１３】
更に、コンピュータを、
判定手段により脂肪酸比が所定のしきい値を超えていると判定された場合に、ｎ−６脂肪酸量の少ないまたはｎ−３脂肪酸量の多い料理品目を料理・食材記憶部から抽出する追加料理抽出手段、
追加料理抽出手段により抽出された料理品目から、追加する料理品目を指定する追加料理指定手段、
追加料理指定手段により指定された料理品目に基づいて、脂肪酸比算出手段を制御して、献立全体の脂肪酸量の比率を再計算させる再計算制御手段、
として機能させることを特徴とする請求項１０に記載の糖尿病用献立判定プログラム。
【請求項１４】
更に、コンピュータを、
判定手段により脂肪酸比が所定のしきい値を超えていると判定された場合に、警告を発する警告手段、
として機能させることを特徴とする請求項１０〜１３のいずれか一つに記載の糖尿病用献立判定プログラム。
【請求項１５】
更に、コンピュータを、
判定手段により脂肪酸比が所定のしきい値内であると判定された場合に、その献立を対象者に応じて記憶する履歴情報記憶部、
履歴情報記憶部に記憶された献立の各料理品目の構成食材を、次回当該料理品目が入力されたときに標準構成として出力する標準構成出力手段、
として、機能させることを特徴とする請求項１０〜１４のいずれか一つに記載の糖尿病様献立判定プログラム。
【請求項１６】
所定のしきい値を、（ｎ−６脂肪酸ｍｏｌ／ｎ−３脂肪酸ｍｏｌ）＝４またはそれ以下としたことを特徴とする請求項１０〜１５のいずれか一つに記載の糖尿病用献立判定プログラム。
【請求項１７】
所定のしきい値を、糖尿病の発病時期を遅延可能な程度にまで低くしたことを特徴とする請求項１０〜１５のいずれか一つに記載の糖尿病用献立判定プログラム。
【請求項１８】
所定のしきい値を、糖尿病の発病率を低下可能な程度にまで低くしたことを特徴とする請求項１０〜１５のいずれか一つに記載の糖尿病用献立判定プログラム。
【発明の詳細な説明】
【技術分野】
【０００１】
本発明は、糖尿病用献立判定装置および糖尿病用献立判定プログラムに関し、特に、１型糖尿病の発病抑制ないし発病時期の遅延が可能な献立または糖尿病の合併症を改善しうる献立を提供可能な糖尿病用献立判定装置および糖尿病用献立判定プログラムに関する。
【背景技術】
【０００２】
１型糖尿病はインスリン分泌が著しく低下する遺伝病である。また、１型糖尿病は、インスリンを合成する膵臓の所定部位が破壊されてしまうため、一度発病すれば、病状の改善や進行は食い止められるものの、基本的に一生涯つきあわなくてはならない病気である。
【０００３】
一方、２型糖尿病は、インスリンの分泌はおこるが、それが作用しない点に特徴がある。１型であれ２型であれ、その具体的対処療法としては、インスリンの注射投与が挙げられる。
【発明の開示】
【発明が解決しようとする課題】
【０００４】
しかしながら、従来では以下の問題点があった。
まず、注射によるインスリン投与の頻度が高いので、患者の負担が大きいという問題点があった。
【０００５】
また、２型糖尿病が食生活などの生活習慣病とされていて発病年齢が中高年層に多いのに対して、１型糖尿病は、１８歳までに発病する割合が１型患者全体うちの７割を占め、幼少期の発病割合が非常に高い、という実情がある。従って、就学期に発病すると、授業時間中に注射や通院が必要となり、学業そのものに影響がでてしまうという問題点があった。また、就学期では周囲の好奇の目を嫌がって注射を控えてしまい、症状を悪化させてしまう場合があるという問題点があった。
【０００６】
更に、就学期では自己注射も可能であるのに対して、もし、幼少期に発病してしまうと自己注射ができず、通院や入院に加えて保護者の常時看護が必要となる、という極めて大きな負担が生じる問題点があった。
【０００７】
一方、１型糖尿病はＨＬＡなどの遺伝因子に何らかの誘因環境因子が加わっておこるため、発病可能性があるかどうかは生まれながらにして分かる。従って、発病に至らなくする方法も当然に望まれている。特に、働き盛りの保護者に極めて大きな負担を強いてしまう幼少期の発病を回避でき、発病時期を自己注射のできる年齢まで遅らせてほしいという潜在的な要請もある。
【０００８】
また、親、特に母親が遺伝因子をもっている場合には、将来、子供を生む場合に、その子供が遺伝因子を受け継ぐ可能性も予見できる。従って、誘因環境因子の制御が可能であれば、制御したいという潜在的な要請もある。
【０００９】
また、糖尿病は、１型、２型にかかわらず、合併症を引起し、炎症性疾患である腎症、網膜症、細胞の壊死などを生じさせてしまうので、このような合併症の軽減も望まれている。
【００１０】
また、従来、食事療法ないし食事を通じた予防は、料理品目が偏ったり、料理に違和感を覚えたりして、無理があったり、飽きをこさせたりする場合があるという問題点があった。
【００１１】
本発明は上記に鑑みてなされたものであって、少なくとも１型糖尿病に関して、その発病率ないし発病可能性を低減する献立であって、無理のない、飽きをこさせない献立を提供することを目的とする。
【００１２】
また、少なくとも１型糖尿病に関して、その発病時期を遅らせる献立であって、無理のない、飽きをこさせない献立を提供することを目的とする。
【００１３】
また、合併症の軽減、合併症の回復を期待できる献立であって、無理のない、飽きをこさせない献立を提供することを目的とする。
【課題を解決するための手段】
【００１４】
上記の目的を達成するために、請求項１に記載の糖尿病用献立判定装置は、単数もしくは複数の料理品目の組合せからなる献立を判定する装置であって、料理品目とその料理に使用されうる食材とを関連づけて記憶させた料理・食材記憶部と、食材と、その食材に含まれるｎ−３脂肪酸量およびｎ−６脂肪酸量と、を関連づけて記憶させた食材・脂肪酸記憶部と、料理品目を少なくとも一つ入力する料理品目入力手段と、料理品目入力手段により入力された料理品目の摂取量を入力する摂取量入力手段と、料理品目入力手段により入力された料理品目と、摂取量入力手段により入力された当該料理品目の摂取量と、に基づいて、料理・食材記憶部および食材・脂肪酸記憶部に記憶された情報から献立全体のｎ−３脂肪酸量に対するｎ−６脂肪酸量の比率を算出する脂肪酸比算出手段と、脂肪酸比算出手段により算出された脂肪酸比から、あらかじめ設定された所定のしきい値を超えているか否かを判定する判定手段と、を備えたことを特徴とする。
【００１５】
すなわち、請求項１に係る発明は、ｎ−３脂肪酸に対するｎ−６脂肪酸の割合の低い食事をとり続けることが可能となる。従って、後述するように、乳児をもつ母親であれば、母乳中の脂肪酸比を食事を介して低くして、乳児の発病率を低減することができ、また、乳児期を過ぎた対象者であれば、脂肪酸比の低い食事をとり続けることにより、発病可能性を低くし、また、発病時期を遅延可能となる。
【００１６】
なお、「料理品目に使用されうる食材」とは、例えば、料理品目が「茶碗蒸し」である場合には、鶏肉（ささみ、もも肉、胸肉）、エビ、アナゴ、百合根、春雨、ぎんなん、蒲鉾、三つ葉、椎茸、シメジ、エノキダケなどが挙げられる。また、摂取量とは、重さ（グラム）に限らず一人前といった単位も含むものとする。但し、一人前や半切れといった単位の場合は、適宜標準的な重量に置換するものとする。なお、糖尿病用とは、発病者に限らず、発病可能性のある者も含むものとする。以降において、発病者と発病可能性のある者、または、糖尿病の観点から献立管理が必要な者を「対象者」と適宜表現するものとする。
【００１７】
また、請求項２に記載の糖尿病用献立判定装置は、請求項１に記載の糖尿病用献立判定装置において、判定手段により脂肪酸比が所定のしきい値を超えていると判定された場合に、当該献立を構成する料理品目の中の食材であって代替可能な食材の中から、ｎ−６脂肪酸量の少ないまたはｎ−３脂肪酸量の多い食材を料理・食材記憶部から抽出する代替食材抽出手段と、代替食材抽出手段により抽出された食材から、代替する食材を指定する代替食材指定手段と、代替食材指定手段により指定された食材に基づいて、脂肪酸比算出手段を制御して、献立全体の脂肪酸量の比率を再計算させる再計算制御手段と、を備えたことを特徴とする。
【００１８】
すなわち、請求項２に係る発明は、献立全体として脂肪酸比を調整可能となる。従って、病院食のような固定メニューでなく、バリエーションがあり、食事制限を意識せずに長期にわたって採用できる予防法ないし食事療法を提供可能となる。なお、代替食材の量は適宜指定されるものとする。
【００１９】
また、請求項３に記載の糖尿病用献立判定装置は、請求項１に記載の糖尿病用献立判定装置において、判定手段により脂肪酸比が所定のしきい値を超えていると判定された場合に、当該献立を構成する料理品目の中の食材であってその含有量を変更可能な食材の中から、ｎ−６脂肪酸量の少ないまたはｎ−３脂肪酸量の多い食材を抽出する可変食材抽出手段と、可変食材抽出手段により抽出された食材から、含有量を変更する食材とその量を指定する可変食材指定手段と、可変食材指定手段により指定された食材およびその量に基づいて、脂肪酸比算出手段を制御して、献立全体の脂肪酸量の比率を再計算させる再計算制御手段と、を備えたことを特徴とする。
【００２０】
すなわち、請求項３に係る発明は、献立全体として脂肪酸比を調整可能となる。従って、病院食のような固定メニューでなく、バリエーションがあり、食事制限を意識せずに長期にわたって採用できる予防法ないし食事療法を提供可能となる。なお、含有量とは、その料理品目を構成する食材の割合をいうものとする。
【００２１】
また、請求項４に記載の糖尿病用献立判定装置は、請求項１に記載の糖尿病用献立判定装置において、判定手段により脂肪酸比が所定のしきい値を超えていると判定された場合に、ｎ−６脂肪酸量の少ないまたはｎ−３脂肪酸量の多い料理品目を料理・食材記憶部から抽出する追加料理抽出手段と、追加料理抽出手段により抽出された料理品目から、追加する料理品目を指定する追加料理指定手段と、追加料理指定手段により指定された料理品目に基づいて、脂肪酸比算出手段を制御して、献立全体の脂肪酸量の比率を再計算させる再計算制御手段と、を備えたことを特徴とする。
【００２２】
すなわち、請求項４に係る発明は、献立全体として脂肪酸比を調整可能となる。従って、病院食のような固定メニューでなく、バリエーションがあり、食事制限を意識せずに長期にわたって採用できる予防法ないし食事療法を提供可能となる。なお、追加される料理品目の良は適宜指定されるものとする。このとき、摂取量入力手段によりこの情報が入力されてもよい。
【００２３】
また、請求項５に記載の糖尿病用献立判定装置は、請求項１〜４のいずれか一つに記載の糖尿病用献立判定装置において、判定手段により脂肪酸比が所定のしきい値を超えていると判定された場合に、警告を発する警告手段を備えたことを特徴とする。
【００２４】
すなわち、請求項５に係る発明は、発病可能性が高くなるなど、糖尿病にとって好ましくない献立であることを認識可能となる。
【００２５】
すなわち、請求項６に記載の糖尿病用献立判定装置は、請求項１〜５のいずれか一つに記載の糖尿病様献立判定装置において、判定手段により脂肪酸比が所定のしきい値内であると判定された場合に、その献立を対象者に応じて記憶する履歴情報記憶部と、履歴情報記憶部に記憶された献立の各料理品目の構成食材を、次回当該料理品目が入力されたときに標準構成として出力する標準構成出力手段と、を備えたことを特徴とする。
【００２６】
すなわち、請求項６に係る発明は、対象者に合わせた献立をたてやすくなり、利便性を向上させる。なお、履歴情報記憶部は、複数の対象者毎に履歴を管理できるものとする。
【００２７】
また、請求項７に記載の糖尿病用献立判定装置は、請求項１〜６のいずれか一つに記載の糖尿病用献立判定装置において、所定のしきい値を、（ｎ−６脂肪酸ｍｏｌ／ｎ−３脂肪酸ｍｏｌ）＝４またはそれ以下としたことを特徴とする。
【００２８】
すなわち、請求項７に係る発明は、献立どおりの食事をとることにより、少なくとも、１型糖尿病に関しては、その発病率ないし発病可能性を低減すること、および、発病時期を遅らせることが可能となる。また、糖尿病の合併症の緩和ないし合併症からの回復が可能となる。なお、この所定のしきい値は４以下が好ましいが、更に好ましくは３以下、更により好ましくは２．９以下である。
【００２９】
また、請求項８に記載の糖尿病用献立判定装置は、請求項１〜６のいずれか一つに記載の糖尿病用献立判定装置において、所定のしきい値を、糖尿病の発病時期を遅延可能な程度にまで低くしたことを特徴とする。
【００３０】
すなわち、請求項８に係る発明は、献立どおりの食事をとることにより、少なくとも、１型糖尿病に関しては、その発病率ないし発病可能性を低減すること、および、発病時期を遅らせることが可能となる。また、糖尿病の合併症の緩和ないし合併症からの回復が可能となる。
【００３１】
また、請求項９に記載の糖尿病用献立判定装置は、請求項１〜６のいずれか一つに記載の糖尿病用献立判定装置において、所定のしきい値を、糖尿病の発病率を低下可能な程度にまで低くしたことを特徴とする。
【００３２】
すなわち、請求項９に係る発明は、献立どおりの食事をとることにより、少なくとも、１型糖尿病に関しては、その発病率ないし発病可能性を低減すること、および、発病時期を遅らせることが可能となる。また、糖尿病の合併症の緩和ないし合併症からの回復が可能となる。
【００３３】
また、請求項１０に記載の糖尿病用献立判定プログラムは、単数もしくは複数の料理品目の組合せからなる献立を判定するプログラムであって、料理品目とその料理に使用されうる食材とを関連づけて記憶させた料理・食材記憶部と、食材と、その食材に含まれるｎ−３脂肪酸量およびｎ−６脂肪酸量と、を関連づけて記憶させた食材・脂肪酸記憶部と、を備えるコンピュータを、料理品目を少なくとも一つ入力する料理品目入力手段、
料理品目入力手段により入力された料理品目の摂取量を入力する摂取量入力手段、料理品目入力手段により入力された料理品目と、摂取量入力手段により入力された当該料理品目の摂取量と、に基づいて、料理・食材記憶部および食材・脂肪酸記憶部に記憶された情報から献立全体のｎ−３脂肪酸量に対するｎ−６脂肪酸量の比率を算出する脂肪酸比算出手段、脂肪酸比算出手段により算出された脂肪酸比から、あらかじめ設定された所定のしきい値を超えているか否かを判定する判定手段、として機能させることを特徴とする。
【００３４】
すなわち、請求項１０に係る発明は、ｎ−３脂肪酸に対するｎ−６脂肪酸の割合の低い食事をとり続けることが可能となる。従って、後述するように、乳児をもつ母親であれば、母乳中の脂肪酸比を食事を介して低くすることが可能となり、乳児の発病率を低減することができ、また、乳児期を過ぎた対象者であれば、脂肪酸比の低い即時をとり続けることにより、発病可能性を低くし、また、発病時期を遅延可能となる。
【００３５】
また、請求項１１に記載の糖尿病用献立判定プログラムは、請求項１０に記載の糖尿病用献立判定プログラムにおいて、更に、コンピュータを、判定手段により脂肪酸比が所定のしきい値を超えていると判定された場合に、当該献立を構成する料理品目の中の食材であって代替可能な食材の中から、ｎ−６脂肪酸量の少ないまたはｎ−３脂肪酸量の多い食材を料理・食材記憶部から抽出する代替食材抽出手段、代替食材抽出手段により抽出された食材から、代替する食材を指定する代替食材指定手段、代替食材指定手段により指定された食材に基づいて、脂肪酸比算出手段を制御して、献立全体の脂肪酸量の比率を再計算させる再計算制御手段、として機能させることを特徴とする。
【００３６】
すなわち、請求項１１に係る発明は、献立全体として脂肪酸比を調整可能となる。従って、病院食のような固定メニューでなく、バリエーションがあり、食事制限を意識せずに長期にわたって採用できる予防法ないし食事療法を提供可能となる
【００３７】
また、請求項１２に記載の糖尿病用献立判定プログラムは、請求項１０に記載の糖尿病用献立判定プログラムにおいて、更に、コンピュータを、判定手段により脂肪酸比が所定のしきい値を超えていると判定された場合に、当該献立を構成する料理品目の中の食材であってその含有量を変更可能な食材の中から、ｎ−６脂肪酸量の少ないまたはｎ−３脂肪酸量の多い食材を抽出する可変食材抽出手段、可変食材抽出手段により抽出された食材から、含有量を変更する食材とその量を指定する可変食材指定手段、可変食材指定手段により指定された食材およびその量に基づいて、脂肪酸比算出手段を制御して、献立全体の脂肪酸量の比率を再計算させる再計算制御手段、として機能させることを特徴とする。
【００３８】
すなわち、請求項１２に係る発明は、献立全体として脂肪酸比を調整可能となる。従って、病院食のような固定メニューでなく、バリエーションがあり、食事制限を意識せずに長期にわたって採用できる予防法ないし食事療法を提供可能となる
【００３９】
また、請求項１３に記載の糖尿病用献立判定プログラムは、請求項１０に記載の糖尿病用献立判定プログラムにおいて、更に、コンピュータを、判定手段により脂肪酸比が所定のしきい値を超えていると判定された場合に、ｎ−６脂肪酸量の少ないまたはｎ−３脂肪酸量の多い料理品目を料理・食材記憶部から抽出する追加料理抽出手段、追加料理抽出手段により抽出された料理品目から、追加する料理品目を指定する追加料理指定手段、追加料理指定手段により指定された料理品目に基づいて、脂肪酸比算出手段を制御して、献立全体の脂肪酸量の比率を再計算させる再計算制御手段、として機能させることを特徴とする。
【００４０】
すなわち、請求項１３に係る発明は、献立全体として脂肪酸比を調整可能となる。従って、病院食のような固定メニューでなく、バリエーションがあり、食事制限を意識せずに長期にわたって採用できる予防法ないし食事療法を提供可能となる
【００４１】
また、請求項１４に記載の糖尿病用献立判定プログラムは、請求項１０〜１３のいずれか一つに記載の糖尿病用献立判定プログラムにおいて、更に、コンピュータを、判定手段により脂肪酸比が所定のしきい値を超えていると判定された場合に、警告を発する警告手段、として機能させることを特徴とする。
【００４２】
すなわち、請求項１４に係る発明は、発病可能性が高くなるなど、糖尿病にとって好ましくない献立であることを認識可能となる。
【００４３】
また、請求項１５に記載の糖尿病用献立判定プログラムは、請求項１０〜１４のいずれか一つに記載の糖尿病様献立判定プログラムにおいて、更に、コンピュータを、判定手段により脂肪酸比が所定のしきい値内であると判定された場合に、その献立を対象者に応じて記憶する履歴情報記憶部、履歴情報記憶部に記憶された献立の各料理品目の構成食材を、次回当該料理品目が入力されたときに標準構成として出力する標準構成出力手段、として、機能させることを特徴とする。
【００４４】
すなわち、請求項１５に係る発明は、対象者に合わせた献立をたてやすくなり、利便性を向上させる。
【００４５】
また、請求項１６に記載の糖尿病用献立判定プログラムは、請求項１０〜１５のいずれか一つに記載の糖尿病用献立判定プログラムにおいて、所定のしきい値を、（ｎ−６脂肪酸ｍｏｌ／ｎ−３脂肪酸ｍｏｌ）＝４またはそれ以下としたことを特徴とする。
【００４６】
すなわち、請求項１６に係る発明は、献立どおりの食事をとることにより、少なくとも、１型糖尿病に関しては、その発病率ないし発病可能性を低減すること、および、発病時期を遅らせることが可能となる。また、糖尿病の合併症の緩和ないし合併症からの回復が可能となる。なお、この所定のしきい値は４以下が好ましいが、更に好ましくは３以下、更により好ましくは２．９以下である。
【００４７】
また、請求項１７に記載の糖尿病用献立判定プログラムは、請求項１０〜１５のいずれか一つに記載の糖尿病用献立判定プログラムにおいて、所定のしきい値を、糖尿病の発病時期を遅延可能な程度にまで低くしたことを特徴とする。
【００４８】
すなわち、請求項１７に係る発明は、献立どおりの食事をとることにより、少なくとも、１型糖尿病に関しては、その発病率ないし発病可能性を低減すること、および、発病時期を遅らせることが可能となる。また、糖尿病の合併症の緩和ないし合併症からの回復が可能となる。
【００４９】
また、請求項１８に記載の糖尿病用献立判定プログラムは、請求項１０〜１５のいずれか一つに記載の糖尿病用献立判定プログラムにおいて、所定のしきい値を、糖尿病の発病率を低下可能な程度にまで低くしたことを特徴とする。
【００５０】
すなわち、請求項１８に係る発明は、献立どおりの食事をとることにより、少なくとも、１型糖尿病に関しては、その発病率ないし発病可能性を低減すること、および、発病時期を遅らせることが可能となる。また、糖尿病の合併症の緩和ないし合併症からの回復が可能となる。
【発明の効果】
【００５１】
本発明によれば、少なくとも１型糖尿病に関しては、その発病率ないし発病可能性を低減する献立を提供することおよび糖尿病の発病時期を遅らせる献立を提供することが可能となる。特に、献立全体として考えるので、もし、好物の中に脂肪酸比が高い料理品目があっても、全体として、比率を低減可能となるので、無理のない、飽きの来ない、長続きする予防法ないし食事療法を提供可能となる。
【００５２】
換言すれば、家族の１人のために個別に献立を考えなくてもよく、家族全員の嗜好を考慮しながらバリエーションのある献立を提供可能になる。従って、必然的に、長期にわたる予防ないし食事療法が達成可能となる。
【００５３】
また、本発明によれば、合併症の軽減、合併症の回復を期待できる献立であって、無理のない、飽きをこさせない献立を提供することが可能となる。
【発明を実施するための最良の形態】
【００５４】
以下、本発明の実施の形態を図面を参照しながら詳細に説明する。ここでは、まず、食事における必須脂肪酸の構成比と１型糖尿病の発病との関連について説明し、次に、献立ソフトへの適用について説明する。
【００５５】
本発明は、皮膚炎などの炎症性疾患に必須脂肪酸が関係しているらしいという近年の知見に基づき、１型糖尿病が膵臓ランゲルハンス島の炎症性破壊によって引き起こされる点に着目し、必須脂肪酸の構成比を変化させて発病に対する影響を調べる検討過程でなされたものである。
【００５６】
検討試験に際して、ヒト１型糖尿病のモデルマウスであるＮＯＤ（Non−Obese  Diabetic）マウス（塩野義製薬株式会社開発、日本クレア株式会社提供）を用いることとした。ＮＯＤマウスは、ヒトの１型糖尿病の発症機構の解析や治療法・治療薬の開発用に開発されたマウスであり、１型糖尿病の発病遺伝因子を有するマウスである。
【００５７】
なお、マウスは、一般的に、寿命が１００週、授乳期が生後３週まで（生後３週で離乳）、交配可能となる成熟期が８週以降とされている。ＮＯＤマウスの場合は、標準的な評価期間は４０週までの飼育であり、標準的な飼育環境では４０週時の発症率が６０％〜８０％とされている。なお、一旦１型糖尿病を発症すると、インスリンを投与しない場合には通常４週以内にその個体は死亡してしまう。
【００５８】
以下の検討試験では、必須脂肪酸であるｎ−６脂肪酸とｎ−３脂肪酸のｍｏｌ比を異ならせた餌を与え糖尿病の発病率を検討することとした。糖尿病の発病確認には、試薬（和光純薬工業株式会社製  プレテスト３ａＩＩ）を用いた。なお、試験環境を考慮し、比較対象として基準データを採取することとした。基準データは、標準餌を与えたＮＯＤマウス同士から交配させたＮＯＤマウス（個体数３４）であって、離乳時（生後３週間）までは母獣の乳をのませ、離乳時（生後３週間）以降には標準餌を食べさせて生後４５週まで飼育したマウスの糖尿病の発病率を求めたデータである。
【００５９】
標準餌としては、マウスを飼育する際に一般的に用いられる改良ＮＩＨ（オリエンタル酵母工業株式会社製）を用いた。図１に、飼育週数と発病率との関係を示した。また、図２に、標準餌の成分表と後述するＨｉｇｈの餌とＬｏｗの餌の成分表を示した。なお、以降においてこの基準データの群を基準群と適宜称することとする。
【００６０】
＜検討試験１：離乳後コントロール＞
検討試験１では、標準餌を与えたＮＯＤマウス同士から交配させたＮＯＤマウスを、生後３週の離乳直後からｎ６ｎ３比＝１４．５の餌を食べさせた群と、ｎ６ｎ３比＝３．０の餌を食べさせた群とに分けて、発病率を比較した。ここで、ｎ６ｎ３比とは、（ｎ−６脂肪酸ｍｏｌ）／（ｎ−３脂肪酸ｍｏｌ）をいうものとする。なお、以降では、ｎ６ｎ３比＝１４．５に調整した餌をＨｉｇｈの餌、３．０に調整した餌をＬｏｗの餌と称することとし、この餌を食べさせた群をＨｉｇｈ群、Ｌｏｗ群とそれぞれ称することとする。なお、比率３．０は、ｎ−３脂肪酸を多く含む魚をよく食する従来の日本人の脂肪酸摂取比率に該当し、比率１４．５は、ｎ−６脂肪酸を多く含む獣肉をよく食する欧米人の脂肪酸摂取比率に該当する数値である。
【００６１】
図２に示したＨｉｇｈの餌とＬｏｗの餌の成分表から分かるように、ｎ−６脂肪酸は、リノール酸とアラキドン酸をそれぞれ所定比率で混合し、ｎ−３脂肪酸はＥＰＡ（エイコサペンタン酸）、ＤＨＡ（ドコサヘキサエン酸）、ＤＰＡ（ドコサペンタエン酸）、および、リノレン酸をそれぞれ所定比率で混合してある。Ｈｉｇｈの餌と、Ｌｏｗの餌は、標準餌と略同じ組織ないしエネルギーであり、脂肪酸部分のみを替えた餌である。なお、標準餌のｎ６ｎ３比は５．８である。
【００６２】
図３は、Ｈｉｇｈ群（個体数１３）の経時的な発病率と発病数とを示した図である。図４は、Ｌｏｗ群（個体数１１）の経時的な発病率と発病数とを示した図である。図３と図１とを比較すると、Ｈｉｇｈ群と標準群とは、発病率が共に６２％であり、発病が観測され始めるのも１５〜２０週齢からであって、同程度の結果となったといえる。
【００６３】
一方、図４と図１とを比較すると、Ｌｏｗ群は、最終的な発病率が３６％であり、発病が観測され始めるのも３０週齢以降であって、Ｈｉｇｈ群および標準群と比較して明らかに発病率の低下と発病時期の遅延が見て取れる。従って、ｎ６ｎ３比が小さい方が、１型糖尿病に良い影響を与えることが確認できた。
【００６４】
＜検討試験２：乳幼期コントロールその１＞
検討試験１は、離乳後の餌の脂肪酸比をコントロールした場合の発病検討結果であるといえる。検討試験２では、更に、ｎ６ｎ３比が胎児ないし乳児に及ぼす影響を母獣の食餌環境を調整することにより検討した。食餌を切り替えたときにその影響がマウスの体内で平衡化するのは４週間程度であるので、試験では、１０週齢の母獣を交配させることを目安とし、６週齢以降は、Ｈｉｇｈの餌に切り替えて飼育した母獣群（母獣Ｈｉｇｈ群）と、Ｌｏｗの餌に切り替えて飼育した母獣群（母獣Ｌｏｗ群）とを用意した。母獣が１０週となった時点で交配させ、母獣Ｈｉｇｈ群から生まれた子獣（子獣Ｈｉｇｈ群）には、離乳するまでは、そのままＨｉｇｈの餌を与え続けた母獣の乳をのませ、離乳した後はＨｉｇｈの餌を与えて発病の評価をした。同様に、母獣Ｌｏｗ群から生まれた子獣（子獣Ｌｏｗ群）には、離乳するまでは、そのままＬｏｗの餌を与え続けた母獣の乳をのませ、離乳した後はＬｏｗの餌を与えて発病の評価をした。
【００６５】
まず、母獣に与えた食餌のｎ６ｎ３比と、その母獣の乳中のｎ６ｎ３比との相関関係を調べてみた。図５は、母獣に与えた食餌のｎ６ｎ３比と、その母獣の乳中のｎ６ｎ３比との関係を示した図である。図において、母乳Ｈｉｇｈとは、Ｈｉｇｈの餌（図中では餌Ｈｉｇｈと表記）を食べさせた母獣の乳を意味し、母乳Ｌｏｗとは、Ｌｏｗの餌（図中では餌Ｌｏｗと表記）を食べさせた母獣の乳を意味し、母乳ＮＩＨとは、標準餌（図中では餌ＮＩＨと表記）を食べさせた母獣の乳を意味する。図から明らかなように、必須脂肪酸に関しては、母獣の食餌環境が母乳に直に反映されることが確認できる。
【００６６】
図６は、子獣Ｈｉｇｈ群（個体数１３）の経時的な発病率と発病数とを示した図である。図７は、子獣Ｌｏｗ群（個体数１４）の経時的な発病率と発病数とを示した図である。図６と図１を比較すると、子獣Ｈｉｇｈ群は、発病が観測されるのは１５週齢からであるが、最終的な発病率が６９％と高く、かつ、発病する個体であれば２５週齢までで発病している、すなわち、発病期が幼少期にシフトしていることが確認できた。
【００６７】
一方、図７と図１とを比較すると、子獣Ｌｏｗ群は、最終的な発病率が７％であり、発病が観測されるのも３０週齢以降であって、標準群と比較して明らかに発病率の著しい低下と、発病時期の遅延が見て取れる。また、図７と図４を比較しても発病率が更に低下していることが確認できる。
【００６８】
＜検討試験３：乳幼期コントロールその２＞
検討試験３では、母獣Ｈｉｇｈ群から生まれた子獣に、離乳するまでは、そのままＨｉｇｈの餌を与え続けた母獣の乳をのませ、離乳した後はＬｏｗの餌を与えて発病の評価をした。評価したマウスの個体数は１４である。図８は、母獣Ｈｉｇｈ群から生まれた子獣に、離乳するまでは、そのままＨｉｇｈの餌を与え続けた母獣の乳をのませ、離乳した後はＬｏｗの餌を与えた場合の発病率と発病数を示した図である。図８と図６とを比較すると、最終的な発病率は変わらないものの、発病時期の遅延効果があることが分かる。
【００６９】
＜検討試験４：発病後のコントロール＞
これまでの検討は、予防に焦点をあてた試験といえるが、次に、発病後に餌を切り替えた場合の寿命の比較をすることにより、発病後の治療的観点から見た食餌の影響を検討した。標準餌を与えた親から生まれた子獣（乳児期は、標準餌を食べた母獣親の乳をのませる）のうち発病したＮＯＤマウスを用いて、発病から６日以内にＬｏｗの餌に切り替えた群（個体数１０）の寿命と、発病後６日〜９日の間にＬｏｗの餌に切り替えた群（個体数１０）の寿命を比較した。また、発病してからも標準餌を与えた群（個体数１０）の寿命も測定した。
【００７０】
図９は、検討結果を示した図である。図の縦軸は発病後の生存日数を示している。図から明らかなように、発病からすぐＬｏｗの餌に切り替えると、寿命が著しく延びることが確認できる。一方、発病後ある程度の期間が過ぎてからＬｏｗの餌に切り替えても、標準餌を与え続けた群と寿命が同程度であることが分かる。
【００７１】
図１０は、上三段は、腎臓の糸球体の様子を表し、最下段は、膵臓の膵島の様子を示した図である。このうち、上二段は、糖尿病発病後のマウスの腎臓の糸球体の様子を示しているが、餌を切り替えた場合（最上段）には、糖尿病発症後１００日経過後でも生きながらえ、食餌を切り替えない場合（第二段）は、３０日経過後まもなく死亡した。糸球体の写真は、それぞれ発病後約１００日後と発病後約３０日後のものである。発病後も標準餌を与えた対照群と比較して、発病後６日以内にＬｏｗの餌に切り替えた場合には、糸球体の炎症が少なくなることが見て取れる。なお、検討試験４では、インスリン投与をしていない。換言すると、食事により糖尿病の合併症の改善が確認できたといえ、これは、極めて驚くべき知見である。
【００７２】
一般的に、糖尿病の発病過程には、いわゆるハネムーン期という期間が存在する。これは、発症後に一時的にインスリンの自己分泌が戻り尿中に糖が出たり出なかったりする期間であり、個体差があるが通常１０日前後である。この期間が過ぎると、異常な高血糖状態に突入してしまう。従って、ハネムーン期にｎ６ｎ３比を低くすることができ、その後の食事療法が適切であると、好適な結果を期待できるといえる。
【００７３】
図10の最下段の図は、糖尿病発症後6日以内に、Ｌｏｗの餌に切替え、約100日間生存しているマウスの膵島の様子を示したものである。通常、標準餌を摂取しているマウスの場合、糖尿病発症直後にわずかに残存していた膵島は、ハネムーン期を過ぎると、完全に消失し、インスリンの自己分泌が不可能になる。従って、外来のインスリン無しでは、血糖値のコントロールが完全に不可能になる。しかし、糖尿病発症後6日以内に、Lowの餌に切り替えることにより、残存膵島が保たれ、内因性のインスリン分泌が保たれる、すなわち病態の進行が遅れることがわかる。
【００７４】
以上検討結果をまとめると、ｎ６ｎ３比の低い食事を恒常的にとると発病時期が遅延され、特に、ｎ６ｎ３比の低い栄養分を摂取する時期が乳児期ないし胎児期といった早い段階であるほど発病率を著しく低下させることが確認できる。反対に、乳児期ないし胎児期といった早い段階の摂取栄養分中のｎ６ｎ３比が高い場合には、幼少期の発症を助長する可能性があることが確認できる。
【００７５】
特に、１型糖尿病のような遺伝的要因のある病気では、日常的、恒常的に食生活に気をつける必要がある。家庭内では、通常、同じ献立の食事をとることが多いので、親が普段から献立に注意を払う必要がでてくる。図８から明らかなように、ｎ６ｎ３比の高い食事をとっていると、ある時期からｎ６ｎ３比を小さくしても、発病時期の遅延はあるものの、最終発病率は変化しない。従って、料理をつくり子供も産む母親が、懐妊まえから注意を払う必要がある。
【００７６】
同様に、図９から明らかなように、ｎ６ｎ３比がそう高くない食事をとっていた場合では発病直後の食事の改善が有効であることが確認できる。病気は発病してから気づくことが多いので、発病前から、予防的にｎ６ｎ３比の低い食事をとり続けることが有効であるといえる。図１０を見ても分かるように、事後的に食事を替えることにより症状の改善も期待できる。
【００７７】
なお、検討試験で用いたｎ６ｎ３比は３と１４．５であるが、１型糖尿病に関してはｎ６ｎ３比は４以下が好ましく、３以下がより好ましい。更に好ましくは２．９以下である。これは、近年、日本人の１型糖尿病の発病時期が若年化していることと、食事が欧米型となっていることとが無縁でなく、実際、日本人の食事のｎ６ｎ３比は１９６０年では２．９であったが１９８５年では３．８５と大きくなっている。なお、ｎ６ｎ３比は低い方が好ましいが、体の他の臓器や器官とのバランスもあるので、他の臓器や器官に悪影響を与えない範囲で個々決定すべきであるが、高くても、せいぜい、第６次改訂栄養所要量の推奨値とされている４を下回ることが好ましい。
【００７８】
＜糖尿病用献立判定装置＞
本願発明者は、上記の検討試験や知見に着目し、糖尿病用の献立を判定および管理する装置（以降において脂肪酸管理装置と称する）を発明するに至った。この実施の形態では、本発明の糖尿病用献立判定プログラムをコンピュータにインストールし、コンピュータの表示画面を介して献立を対話的に決定したり、外食した情報を入力して、脂肪酸管理をおこなう脂肪酸管理装置について説明する。ここでは、まず、装置の外観を簡単に説明し、ついで、ハードウェア構成、機能的構成などについて順次説明していく。
【００７９】
（脂肪酸管理装置の外観構成）
図１１は、脂肪酸管理装置の外観構成の一例を示した図である。図示したように、脂肪酸管理装置１００は、いわゆるパーソナルコンピュータと同様な構成であり、献立に関する各種の情報を入力するキーボード１０１およびマウス１０２と、入力された情報を基に、献立の作成ないし決定、その他の処理をおこなう本体部１０３と、献立や料理品目を表示するモニタ１０４と、モニタ１０４の枠部に設けられたスピーカ１０５と、を有する。なお、図示した例は、デスクトップタイプコンピュータであるが、これに限ることなく、ノートブックタイプコンピュータであってもよい。
【００８０】
（脂肪酸管理装置のハードウェア構成）  
図１２は、脂肪酸管理装置１００のハードウェア構成の一例を示した説明図である。脂肪酸管理装置１００は、そのハードウェア構成として、ＣＰＵ２０１と、ＲＯＭ２０２と、ＲＡＭ２０３と、ハードディスク（ＨＤ）２０４と、グラフィックスカード２０５と、モニタ２０６と、キーボード（Ｋ／Ｂ）２０７と、マウス（ＭＯＵＳＥ）２０８と、ネットワークインターフェースカード（ＮＩＣ）２０９と、サウンドカード２１０と、スピーカ２１１と、を有する。なお説明の便宜上、キーボード１０１、マウス１０２、モニタ１０４、およびスピーカ１０５を図１２ではそれぞれキーボード２０７、マウス２０８、モニタ２０６、スピーカ２１１と表記している。
【００８１】
ＣＰＵ２０１は、ＯＳと共に脂肪酸管理装置１００全体を制御し、また、ＨＤ２０４と協働したｎ６ｎ３比の算出や、料理品目の追加、料理品目中の食材の変更、ボリュームの変更等の処理作業、また、表示処理をおこなう。この他ＣＰＵ２０１は、ハードディスク２０４に格納されている作業データをＲＡＭ２０３に一時保存する制御等もおこなう。  
【００８２】
ＲＯＭ２０２は、ブートプログラム等を記憶する。使用の態様によっては、ＲＯＭ２０２は、脂肪酸管理装置１００の制御プログラムを格納しておいてもよい。ＲＡＭ２０３は、ＣＰＵ２０１のワークエリアとして使用する。具体的には、ハードディスク２０４から読み出されたデータベースの内容やプログラム内容などを一時的に格納する。また、料理品目中の代替食材を構成するデータ群を一時的に格納する処理もおこなう。
【００８３】
ハードディスク２０４は、オペレーティング装置（ＯＳ）、アプリケーションプログラム、各種のデータを記憶する。ハードディスクの構成については後述する。  
【００８４】
グラフィックスカード２０５は、モニタ２０６へ出力すべき画像信号を送出する。グラフィックスカード２０５は、出力すべき画像信号を格納するＶＲＡＭと、処理された画像信号をモニタ２０６へ出力する画像出力インターフェース（画像出力Ｉ／Ｆ）を備える。画像出力Ｉ／Ｆは、ＶＲＡＭに展開されたＲＧＢ画像データをモニタ２０６へ出力する。  
【００８５】
この他、脂肪酸管理装置１００は、コンピュータをネットワークへ接続するＮＩＣ２０９を有する。また、フレキシブルディスクドライブ装置、ＣＤ−ＲＯＭドライブ装置、ＭＯドライブ装置等を搭載することも可能である。  
【００８６】
図１３は、ハードディスクの構成を機能的に分けて示した説明図である。ハードディスク２０４は、アプリケーション部２２０とデータベース部（ＤＢ部）２３０とにより構成される。アプリケーション部２２０は、脂肪酸管理装置１００全体を制御するＯＳ２２１と、ＤＢ部２３０と協働して献立を作成し、その献立のｎ６ｎ３比が高い場合に警告を発し、また、献立の内容を変更する際に使用される献立作成プログラム２２２と、作成された献立全体のｎ６ｎ３比が高いか否かをＤＢ部２３０と協働して計算および比較するｎ６ｎ３比計算プログラム２２３と、対象者（糖尿病の観点から献立管理が必要な者）に応じてＤＢ内容を再構築するＤＢ再構築プログラム２２４と、を有する。
【００８７】
なお、以上はアプリケーション部２２０を、脂肪酸管理装置１００が果たす各種の情報の入力と、ＤＢ部２３０を介した情報の抽出、計算、表示という観点から集約した内容を説明したに過ぎず、実際のプログラムは多数のコンポーネントやＤＬＬなどにより構成される。後述する機能的構成は、これらのプログラムが単体もしくは複数で、場合によってはＤＢ部２３０と協働して各種実現されるものである。  
【００８８】
次に、ＤＢ部２３０について説明する。ＤＢ部２３０は、料理品目とその料理に使用されうる食材とを関連づけて記憶させた料理・食材情報格納部２３１と、食材とその食材に含まれるｎ−３脂肪酸量およびｎ−６脂肪酸量と、を関連づけて記憶させた食材・脂肪酸情報格納部２３２と、対象者の情報や、過去にとった食事ないし献立に関する履歴情報を格納する個人・履歴情報格納部２３３と、を有する。
【００８９】
料理・食材情報格納部２３１は、適宜テーブルを備え、細分化された料理品目とそれに使用される食材とを格納し、アドレスやポインタ授受により、高速にデータ抽出、ソートなどができるように構成されている。同様に、食材・脂肪酸情報格納部２３２もテーブルを備え、食材の単位重量あたりのｎ−６脂肪酸量とｎ−３脂肪酸量を格納し、アドレスやポインタの授受により高速にデータ抽出やｎ６ｎ３比の計算の便に資するように構成されている。
【００９０】
また、個人・履歴情報格納部２３３は、例えば、病院で使用されるような場合であっても対象者に応じた管理をおこないうるように、対象者の管理や、過去の献立の参照、対象者の嗜好に合わせた献立の標準構成の構築がなされている。なお、標準構成とは、例えば、料理品目が茶碗蒸しである場合に、具に関して種々のバリエーションがあるものの、初回または直近に設定ないし選択した構成、または、対象者の好みを反映させた構成をいうものとする。後述するように、個人・履歴情報格納部２３３を設けることにより、操作者の利便性が向上することとなる。
【００９１】
（脂肪酸管理装置の機能的構成）
次に、脂肪酸管理装置１００の機能的構成について説明する。図１４は、脂肪酸管理装置１００の機能的構成例を示した説明図である。図示したように、脂肪酸管理装置１００は、料理品目入力部３０１と、摂取量入力部３０２と、脂肪酸比算出部３０３と、判定部３０４と、警告部３０５と、献立修正部３０６と、代替食材抽出部３０７と、代替食材指定部３０８と、再計算制御部３０９と、可変食材抽出部３１０と、可変食材指定部３１１と、追加料理抽出部３１２と、追加料理指定部３１３と、献立決定部３１４と、を有する。
【００９２】
料理品目入力部３０１は、例えば、朝食、昼食、夕食、おやつといった食事の内容、いわゆる献立を決定する際に料理品目を入力する機能部である。この料理品目は細分化、階層化され、例えば、カレーを取り上げても、
・カレー：白米（ジャポニカ米）ベース
・ビーフカレー
・ポークカレー
・チキンカレー
・キーマカレー
・シーフードカレー
・・・・
・カレー：インディカ米ベース
・・・・
・レトルトカレー
・・・・
と、多様に展開されている。なお、ビーフカレー等においても更に、使用する肉の部位や野菜によって何段階にも階層化されている。この料理品目は、料理・食材情報格納部２３１に格納されている。
【００９３】
操作者は、モニタ１０４に表示される画面を介して対話的に料理品目を順次決定していく。図１５は、プルダウンメニュー形式の料理品目の決定画面の構成例を示した図である。料理品目入力部３０１は、例えば、キーボード２０７、マウス２０８、ＯＳ２２０，献立作成プログラム、料理・食材情報格納部２３１などによりその機能を実現できる。
【００９４】
摂取量入力部３０２は、料理品目入力部３０１により入力された料理品目の摂取量を入力する。これは、例えば、料理品目がうどんであっても、主食として献立の中心的な位置づけなのか、量を少なくした、汁物、すなわち、副食としての位置づけなのか、により、献立全体に締める量、ひいては、ｎ６ｎ３比が変わってくるために必要な情報である。摂取量の指定は、必ずしも総てがグラム表示である必要はなく、例えば、リンゴであるならば、１／４個という入力の仕方であっても良い。なお、このような場合は、料理・食材情報格納部２３１等に適宜格納されている換算表によりグラム変換が自動的になされるものとする。すなわち、リンゴの場合は２５０ｇ／個を標準重量とし、１／４個の入力があった場合には、内部処理的に、６２．５ｇが入力されるものとする。
【００９５】
なお、料理品目を設定したときに、それに用いられる食材やその量を毎回入力するのは煩雑であるので、通常は、例えば、チキンカレーが指定されたときには、これに用いられる標準的な食材およびその料理品目における各食材の重量割合が標準構成として料理・食材情報格納部２３１又は個人・履歴情報格納部２３３から呼び出されるものとし、摂取量が指定されると、その量に応じて各食材の重量が決定されるものとする。摂取量入力部３０２は、例えば、キーボード２０７、マウス２０８、ＯＳ２２０，献立作成プログラムなどによりその機能を実現することができる。
【００９６】
脂肪酸比算出部３０３は、料理品目入力部３０１により入力された料理品目と、摂取量入力部３０２により入力されたその料理品目の摂取量と、に基づいて、料理・食材情報格納部２３１、個人・履歴情報格納部２３３および食材・脂肪酸情報格納部２３２に記憶された情報から献立全体のｎ６ｎ３比を算出する。例えば、献立が、御飯（精白米）と、かぼちゃのみそ汁（かぼちゃ−生、葉ネギ、米味噌）と、漬け物（なすのぬか漬け）、果物（リンゴ−生）、からなる料理品目であった場合、その料理品目の摂取量が入力されると、脂肪酸比算出部３０３が、料理品目を構成する各食材の重さを計算し、また、食材・脂肪酸情報格納部２３２から、食材毎の脂肪酸量を抽出して献立全体のｎ６ｎ３比を計算する。
【００９７】
例えば、献立が料理品目Ａ、Ｂ、Ｃからなり、料理品目Ａの食材がａ１、ａ２、料理品目Ｂの食材がｂ１、ｂ２、ｂ３、ｂ４、ｂ５、料理品目Ｃの食材がｃ１，ｃ２，ｃ３であるとする。また、この料理品目に関し、料理品目Ａの各食材の重量構成比が（ａ１、ａ２）＝（０．８：０．２）、（ｂ１、ｂ２、ｂ３、ｂ４、ｂ５）＝（０．４：０．２：０．１５：０．１５：０．１）、（ｃ１，ｃ２，ｃ３）＝（０．７：０．２：０．１）であり、また、各食材中の１グラムあたりのｎ６脂肪酸とｎ３脂肪酸のモル数が、ａ１＝（ａ６１、ａ３１）、ａ２＝（ａ６２、ａ３２）、ｂ１＝（ｂ６１、ｂ３１）、ｂ２＝（ｂ６２、ｂ３２）、ｂ３＝（ｂ６３、ｂ３３）、ｂ４＝（ｂ６４、ｂ３４）、ｂ５＝（ｂ６５、ｂ３５）、ｃ１＝（ｃ６１、ｃ３１）、ｃ２＝（ｃ６２、ｃ３２）、ｃ３＝（ｃ６３、ｃ３３）であるとする。また、料理品目の摂取量がＡ＝２００ｇ、Ｂ＝１００ｇ、Ｃ＝１５０ｇであったとする。
【００９８】
このとき、この献立のｎ６ｎ３比Ｈは、
Ｈ＝〔２００×（０．８×ａ６１＋０．２×ａ６２）＋１００×（０．４×ｂ６１＋０．２×ｂ６２＋０．１５×ｂ６３＋０．１５×ｂ６４＋０．１×ｂ６５）＋１５０×（０．７×ｃ６１＋０．２×ｃ６２＋０．１×ｃ６３）〕／〔２００×（０．８×ａ３１＋０．２×ａ３２）＋１００×（０．４×ｂ３１＋０．２×ｂ３２＋０．１５×ｂ３３＋０．１５×ｂ３４＋０．１×ｂ３５）＋１５０×（０．７×ｃ３１＋０．２×ｃ３２＋０．１×ｃ３３）〕
となる。脂肪酸比算出部３０３は、この計算をおこなう。
【００９９】
脂肪酸比算出部３０３は、例えば、ＲＡＭ２０３と、ｎ６ｎ３比計算プログラム２２３と、料理・食材情報格納部２３１と個人・履歴情報格納部２３３と、食材・脂肪酸情報格納部２３２などによりその機能を実現することができる。
【０１００】
判定部３０４は、脂肪酸比算出部３０３により算出された脂肪酸比が、あらかじめ設定された所定のしきい値を超えているか否かを判定する。あらかじめ設定された所定の脂肪酸値とは、糖尿病の発病時期を遅延可能な程度、糖尿病の発病率を低下可能な程度、または合併症を改善できる程度であることが好ましい。この値としては、（ｎ−６脂肪酸ｍｏｌ／ｎ−３脂肪酸ｍｏｌ）＝４を採用することができるが、旧来の日本人の食生活に則った３であってもよい。判定部３０４は、例えば、ＲＡＭ２０３と、献立作成プログラム２２２などによりその機能を実現することができる。
【０１０１】
警告部３０５は、判定部３０４により脂肪酸比が所定のしきい値を超えていると判定された場合に、警告を発する。警告の態様は、モニタ２０６上の表示（視覚的表示）であっても良いし、スピーカ２１１による音響警告であってもよい。警告部３０５は、例えば、献立作成プログラム２２２と、モニタ２０６と、スピーカ２１１などによりその機能を実現することができる。
【０１０２】
献立修正部３０６は、判定部３０４によりｎ６ｎ３比がしきい値より大きいと判定された場合に、献立の変更方法を選択する。ｎ−６脂肪酸とｎ−３脂肪酸とは、絶対値でなく、比が重要視されるので、食材の種類の変更、食材の量の変更、料理品目の追加、によりｎ６ｎ３比を変更できる。従って、警告部３０５が警告をおこなった直後、例えば、画面上に「食材の種類の変更」、「食材の量の変更」、「料理品目の追加」というボタン表示を行い、操作者がそのボタンを押下して選択可能なようにしても良い。献立修正部３０６は、例えば、モニタ２０６と、マウス２０８と、献立作成プログラム２２２などによりその機能を実現することができる。
【０１０３】
代替食材抽出部３０７は、献立修正部３０６により「食材の種類の変更」が選択された場合に、献立を構成する料理品目の中の食材であって代替可能な食材の中から、ｎ−６脂肪酸量の少ないまたはｎ−３脂肪酸量の多い食材を料理・食材情報格納部２３１の中から抽出する。また、代替食材指定部３０８は、代替食材抽出部３０７により抽出され画面上に表示された食材から、代替する食材を指定する。例えば、料理品目のうち茶碗蒸の具を変更しようと思いその構成食材が、鶏肉（もも肉）、ぎんなん、蒲鉾、三つ葉、椎茸であったとすると、代替食材抽出部３０７は、代替可能な食材として、鶏肉（ささみ）、アナゴ、シメジを抽出してモニタ２０６上に表示させ、装置の操作者を介して代替食材指定部３０８が食材（例えばささみ）に変更する。
【０１０４】
再計算制御部３０９は、代替食材指定部３０８により指定された食材に基づいて、脂肪酸比算出部３０３を制御して、献立全体の脂肪酸量の比率を再計算させる。なお、後述するように、献立修正部３０６による他の選択による献立修正があった場合にも同様に脂肪酸量の比率を再計算させる。
【０１０５】
代替食材抽出部３０７は、例えば、ＣＰＵ２０１と、ＲＡＭ２０３と、献立作成プログラム２２２と、料理・食材情報格納部２３１と、食材・脂肪酸情報格納部２３２などによりその機能を実現することができる。代替食材指定部３０８は、例えば、マウス２０８と、モニタ２０６と、献立作成プログラム２２２と、ＯＳ２２１などによりその機能を実現することができる。再計算制御部３０９は、例えば、ＯＳ２２１２２１と、ＲＡＭ２０３と、献立作成プログラム２２２などによりその機能を実現することができる。
【０１０６】
可変食材抽出部３１０は、献立修正部３０６により「食材の量の変更」が選択された場合に、献立を構成する料理品目の中の食材であってその含有量を変更可能な食材の中から、ｎ−６脂肪酸量の少ないまたはｎ−３脂肪酸量の多い食材を抽出する。可変食材指定部３１１は、可変食材抽出部３１０により抽出され画面上に表示された食材から、含有量を変更する食材とその量を指定する。例えば、料理品目のうち茶碗蒸の具を変更しようと思いその構成食材が、鶏肉（もも肉）、ぎんなん、蒲鉾、三つ葉、椎茸であったとすると、可変食材抽出部３１０は、量を変更可能な食材として、鶏肉（ささみ）、蒲鉾、椎茸を抽出してモニタ２０６上に表示させ、装置の操作者を介して可変食材指定部３１１が食材（例えばささみ）の量を変更する。
【０１０７】
再計算制御部３０９は、可変食材指定部３１１により変更された食材の含有量に基づいて、脂肪酸比算出部３０３を制御して、献立全体の脂肪酸量の比率を再計算させる。可変食材抽出部３１０は、例えば、ＣＰＵ２０１と、ＲＡＭ２０３と、献立作成プログラム２２２と、料理・食材情報格納部２３１などによりその機能を実現することができる。可変食材指定部３１１は、例えば、マウス２０８と、モニタ２０６と、献立作成プログラム２２２と、ＯＳ２２１などによりその機能を実現することができる。
【０１０８】
追加料理抽出部３１２は、ｎ−６脂肪酸量の少ないまたはｎ−３脂肪酸量の多い料理品目を料理・食材情報格納部２３１から抽出する。追加料理指定部３１３は、追加料理抽出部３１２により抽出され画面に表示された料理品目から、追加する料理品目を指定する。例えば、献立が、カツ丼であった場合に、アジのたたきなどｎ−３脂肪酸の含有量の高い料理品目を複数抽出してモニタ２０６上に表示させ、装置の操作者を介して追加料理指定部３１３が追加すべき料理品目を指定する。
【０１０９】
再計算制御部３０９は、追加料理指定部３１３により指定された料理品目に基づいて、脂肪酸比算出部３０３を制御して、献立全体の脂肪酸量の比率を再計算させる。追加料理抽出部３１２は、例えば、マウス２０８と、ＣＰＵ２０１と、献立作成プログラム２２２と、料理・食材情報格納部２３１などによりその機能を実現することができる。可変食材指定部３１１は、例えば、マウス２０８と、モニタ２０６と、献立作成プログラム２２２と、ＯＳ２２１などによりその機能を実現することができる。
【０１１０】
献立決定部３１４は、計算されたまたは再計算されたｎ６ｎ３比が判定部３０４によりしきい値より小さいと判定された場合に、その旨をモニタ２０６上に表示し、その献立で問題ないことを操作者に認識させる。なお、決定された献立は、今後の献立の参考のため、個人・履歴情報格納部２３３に格納し、また、修正された献立の組合せにより、料理・食材情報格納部２３１を修正し、料理品目の標準構成例を変更しておく。これにより、対象者の嗜好に合わせた料理を提供できるようになり、予防ないし食事療法に結びつけることが可能となる。献立決定部３１４は、例えば、ＤＢ再構築プログラム２２４と、料理・食材情報格納部２３１と、個人・履歴情報格納部２３３と、マウス２０８と、モニタ２０６等によりその機能を実現することができる。
【０１１１】
（脂肪酸管理装置の処理の流れ）
次に、脂肪酸管理装置１００の処理の流れについて、フローチャートを用いて説明する。図１６は、脂肪酸管理装置１００の処理の流れの一例を示したフローチャートである。まず、脂肪酸管理装置１００に組み込んである脂肪酸管理プログラムを起動する（ステップＳ４０１）。操作者は、画面を対話的に操作しながら、献立を構成する料理品目を決定する（ステップＳ４０２）。このとき、料理品目は、細かく階層的化されて細分化されており、操作者は細分化された料理品目のどれかを選択する。但し、操作性を向上させるために、「料理名から決定する」、「種類から決定する」、「過去の献立から決定する」というような選択項目を画面上に表示し、操作者に、複数の決定手法を提示するようにしている。
【０１１２】
なお、「料理名から決定する」とは、例えば、ビーフシチュー、酢豚、ぎょうざ、のように、個々の料理名をいうものとする。画面構成例の図示は省略するが、適宜、５０音表を表示させ、ビを選ぶとビーフシチュー、ビーフカレー、ビスケット、などの項目を表示し、操作者が選択しやすいようにしているものとする。但し、ビーフシチューを選択したとしても、これは、非常に大まかな選択であって、図１４に示したのと同様に、以降は、細分化された項目（ビーフシチュー（牛ヒレ肉−生、ニンジン）、ビーフシチュー（牛ヒレ肉−生、ブロッコリー）、、、）が表示されるものとする。
【０１１３】
また、「種類から決定する」とは、ごはんもの、汁物、デザート、洋食、中華、和食、などのような大まかな区分の表示をさせ、ごはんものが選択された場合には、更に、ごはん、おかゆ、リゾット、丼、炊き込み御飯、炒め物、のように更に選択可能とし、更に、上述した「料理名から決定する」場合と同様に、これ以降も細分化された項目が表示されるものとする。
【０１１４】
また、「過去の献立から決定する」とは、個人・履歴情報格納部２３３から過去の献立を呼出し献立を決定する項目をいう。このとき、過去、１ヶ月食べていない料理品目を抽出する、といったソート機能により、料理品目の表示方法を変更させて飽きの来ない献立を提供可能にしても良い。
【０１１５】
ステップＳ４０２ののち、操作者は、その料理品目の摂取量を入力する（ステップＳ４０３）。入力にあたっては、前述したように、必ずしもグラム表示でなく、一人前、一皿、半皿、一個、などの単位であっても良い。但し、適宜、献立作成プログラム２２２や料理・食材情報格納部２３１、食材・脂肪酸情報格納部２３２などにより、脂肪酸を計算可能な単位へ変換するものとする。
【０１１６】
つづいて、追加する料理品目があるか否かを判定する（ステップＳ４０４）。まだ、料理品目の総てを入力していないときは（ステップＳ４０４：Ｎｏ）、ステップＳ４０２に移行して、順次料理品目とその量を入力する。一方、総ての料理品目を入力した場合には（ステップＳ４０４：Ｙｅｓ）、ｎ６ｎ３比を算出する（ステップＳ４０５）。ｎ６ｎ３比の算出にあたっては、総ての食材のそれぞれのｎ−６脂肪酸量とｎ−３脂肪酸量を算出することによりおこなう。なお、症状によっては、特定の脂肪酸の多寡を別途算出するようにしても良い。
【０１１７】
ｎ６ｎ３比がしきい値より小さければ（ステップＳ４０６：Ｙｅｓ）、その献立が問題ないので、献立決定作業を終了する（ステップＳ４０７）。なお、使用する食材やその量がこれにより決定されるので、人数分を掛け合わせて印刷し、買物の際に利用しても良い。このとき、グラム表示から再び個数表示にしても良い。例えば、ニンジン５００グラムである場合には、ニンジン中二本（５００グラム）というように表示ないし紙出力する。これにより、直感的な量の把握が可能となる。
【０１１８】
一方、ｎ６ｎ３比がしきい値より大きければ（ステップＳ４０６：Ｎｏ）、その献立を修正する必要があるので、献立修正方法を選択可能なようにする（ステップＳ４０８）。修正の方法は、前述したように３種類あるが、これらを適宜選択して、変更された献立内容で再びｎ６ｎ３比を算出するようにする。
【０１１９】
なお、以上の説明では、脂肪酸管理装置は、主に、献立を決定する際の利用という観点から説明したが、対象者は、外食もすることがあり得るので、適宜ＰＤＡ等の携帯端末等の間でデータ授受ができるように構成されているものとする。このようにすればｎ６ｎ３比の低い食べ物を摂取することが可能となる。
【０１２０】
また、外食後、帰宅後、事後的にデータを入力し、もし、外食メニューのｎ６ｎ３比が高い場合には、それを相殺するように、直後の献立をｎ−３脂肪酸量が多くなるようにする利用法も挙げられる。
【産業上の利用可能性】
【０１２１】
糖尿病が進行すると、糖尿病性腎症を発症する場合があり、総タンパクの制限やカリウム摂取量のコントロールが必要になる。このような場合には、料理・食材記憶部や、食材・脂肪酸記憶部を改変して、ｎ６ｎ３比の他に、タンパク質やカリウムの含有量のデータも加味した献立を決定可能になる。
【０１２２】
なお、本発明は、乳児を母乳で育てる場合の母親の献立作成にも利用できる。また、年齢別の栄養摂取量に応じた献立の提供も可能となる。これは、別途、料理・食材情報格納部２３１や食材・脂肪酸情報格納部２３２に、エネルギーなどのテーブルを設けておくことにより実現可能となる。
【図面の簡単な説明】
【０１２３】
【図１】実験室で標準餌を与えた場合のＮＯＤマウスの飼育週数と発病率・発病数との関係を示した図である。
【図２】標準餌、Ｈｉｇｈの餌、および、Ｌｏｗの餌のそれぞれの成分を示した図表である。
【図３】Ｈｉｇｈ群（個体数１３）の経時的な発病率と発病数とを示した図である。
【図４】Ｌｏｗ群（個体数１１）の経時的な発病率と発病数とを示した図である。
【図５】母獣に与えた食餌のｎ６ｎ３比と、その母獣の乳中のｎ６ｎ３比との関係を示下図である。
【図６】子獣Ｈｉｇｈ群（個体数１３）の経時的な発病率と発病数とを示した図である。
【図７】子獣Ｌｏｗ群（個体数１４）の経時的な発病率と発病数とを示した図である。
【図８】母獣Ｈｉｇｈ群から生まれた子獣に、離乳するまでは、そのままＨｉｇｈの餌を与え続けた母獣の乳をのませ、離乳した後はＬｏｗの餌を与えた場合の発病率と発病数を示した図である。
【図９】標準餌を与えた親から生まれた子獣（乳児期は、標準餌を食べた母獣親の乳をのませる）のうち発病したＮＯＤマウスを用いて、発病から６日以内にＬｏｗの餌に切り替えた群（個体数１０）の寿命と、発病後６日〜９日の間にＬｏｗの餌に切り替えた群（個体数１０）の寿命を比較した図である。
【図１０】糖尿病の合併症である腎症を起こした腎臓の糸球体の様子を示した図である。
【図１１】脂肪酸管理装置の外観構成の一例を示した図である。
【図１２】脂肪酸管理装置１００のハードウェア構成の一例を示した説明図である。
【図１３】ハードディスクの機能的構成例を示した説明図である。
【図１４】脂肪酸管理装置１００の機能的構成例を示した説明図である。
【図１５】プルダウンメニュー形式の料理品目の決定画面の構成例を示した図である。
【図１６】脂肪酸管理装置１００の処理の流れの一例を示したフローチャートである。
【符号の説明】
【０１２４】
１００              脂肪酸管理装置
１０１（２０７）    キーボード
１０２（２０８）    マウス
１０３              本体部
１０４（２０６）    モニタ
１０５（２１１）    スピーカ
２２０              アプリケーション部
２２１              ＯＳ
２２２              献立作成プログラム
２２３              ｎ６ｎ３比計算プログラム
２２４              再構築プログラム
２３０              ＤＢ部
２３１              料理・食材情報格納部
２３２              食材・脂肪酸情報格納部
２３３              個人・履歴情報格納部
３０１              料理品目入力部
３０２              摂取量入力部
３０３              脂肪酸比算出部
３０４              判定部
３０５              警告部
３０６              献立修正部
３０７              代替食材抽出部
３０８              代替食材指定部
３０９              再計算制御部
３１０              可変食材抽出部
３１１              可変食材指定部
３１２              追加料理抽出部
３１３              追加料理指定部
３１４              献立決定部
【図１】
2006252209.tif 000003
【図２】
2006252209.tif 000004
【図３】
2006252209.tif 000005
【図４】
2006252209.tif 000006
【図５】
2006252209.tif 000007
【図６】
2006252209.tif 000008
【図７】
2006252209.tif 000009
【図８】
2006252209.tif 000010
【図９】
2006252209.tif 000011
【図１０】
2006252209.tif 000012
【図１１】
2006252209.tif 000013
【図１２】
2006252209.tif 000014
【図１３】
2006252209.tif 000015
【図１４】
2006252209.tif 000016
【図１５】
2006252209.tif 000017
【図１６】
2006252209.tif 000018